(57)【要約】【課題】ハンドルに記録装置の動作を実行するためのトリガーとしての機能を持たせると共に、記録実行中のハンドルの回動に起因する被記録媒体の給送不良と排出不良とを防止する。【解決手段】本発明のハンドル１は、上部に操作ボタン１５Ｂが配置された操作パネル１５を備え、該操作パネル１５の上方に操作パネル１５を覆い隠す開閉式のカバー体１４を備え、更に前面に記録実行後の被記録媒体Ｐを受け取る排出用スタッカ１６を備えた記録装置本体１０に対して回動自在に接続されており、ハンドル１はその一部が前記カバー体１４上に位置している状態ではカバー体１４を開閉できない大きさに形成されており、更にハンドル１は持ち運び時の直立姿勢から排出用スタッカ１６が備えられた前方側へは回動できないように構成されている。【選択図】図５
2007210214.tif 000002
【特許請求の範囲】
【請求項１】
記録装置本体の上部に操作パネルが設けられ、該操作パネルを覆うカバー体が記録装置本体に開閉可能に設けられ、更に手提げ式のハンドルが記録装置本体に回動自在に設けられている記録装置であって、
前記ハンドルは、その手提げ部が閉状態の前記カバー体上に位置する回動位置では該カバー体の開状態への移行を規制するように形成されていると共に、該ハンドルはカバー体上に位置する持ち運び時の姿勢から記録装置本体の後方となるカバー体の基端側にだけ回動可能に構成されていることを特徴とする記録装置。
【請求項２】
請求項１において、前記ハンドルは、門型をした手提げ部と、該手提げ部の両端部に設けられ前記記録装置本体に形成された係合穴部と係合する係合軸部とを備えており、前記係合穴部と係合軸部の間には手提げ部の回動角度を規制するストッパ機構が設けられていることを特徴とする記録装置。
【請求項３】
請求項２において、前記係合穴部と係合軸部の間には少なくともハンドルの持ち運び時の立ち姿勢と使用時の後傾姿勢とを保持するロック機構が設けられていることを特徴とする記録装置。
【請求項４】
請求項１から３のいずれか１項において、当該記録装置はモバイルタイプのものであることを特徴とする記録装置。
【請求項５】
請求項１から４のいずれか１項において、前記カバー体は、閉状態では前記操作パネルを全て覆ってカバーとして機能すると共に露呈面が記録装置の外観を構成する外面形状に形成され、開状態ではペーパーサポートとして機能する内面形状に形成されていることを特徴とする記録装置。
【発明の詳細な説明】
【技術分野】
【０００１】
本発明は、記録装置本体の上部に操作パネルが設けられ、該操作パネルを覆うカバー体が記録装置本体に開閉可能に設けられ、更に手提げ式のハンドルが記録装置本体に回動自在に設けられている記録装置に関する。
【背景技術】
【０００２】
以下、記録装置の一例であるインクジェットプリンタを例にとって説明する。インクジェットプリンタにはパーソナルコンピュータを使用することなく、デジタルカメラ等で撮影した写真をダイレクトにプリントできるいわゆる「ダイレクトプリンタ」と呼ばれているプリンタが存在する。また、このようなダイレクトプリンタの中には、下記の特許文献１や特許文献２に示すように、持ち運びが容易な小型、軽量なモバイルタイプのプリンタが存在する。そして、小型、軽量なプリンタの中には、手提げ用のハンドルを備えたものがある。
【０００３】
従来のハンドルは、記録装置本体に対して前後に自由に回動できる状態で取り付けられており、ハンドルがどの位置にあっても自由に印刷することができ、印刷中でもハンドルを回動させることが可能になっていた。しかし、印刷中においてハンドルを不用意に記録装置本体の後方に倒した場合には、給送用トレイ上の用紙の上に当該ハンドルが直接当たって用紙にダメージを与えると共に、円滑な用紙の給送を妨げる虞がある。また、印刷中においてハンドルを不用意に前方に倒した場合には、排出用スタッカの載置面上の用紙に当該ハンドルが当たり、その記録面にダメージを与えると共に、円滑な用紙の排出を妨げる虞がある。
【０００４】
【特許文献１】特開２００４−０８２４５５号公報
【特許文献２】特開２００５−２１９２３７号公報
【発明の開示】
【発明が解決しようとする課題】
【０００５】
本発明の目的は、ハンドルをその持ち運び時の立ち姿勢から後方に回動させてカバー体の上から退避させないと該カバー体を開けることができない構造にして、従来構造における記録実行中のハンドルの回動操作に起因する被記録媒体へのダメージ付与、更にその給送不良と排出不良とを防止し得る記録装置を提供することにある。
【課題を解決するための手段】
【０００６】
上記課題を解決するために本発明の第１の態様に係る記録装置は、記録装置本体の上部に操作パネルが設けられ、該操作パネルを覆うカバー体が記録装置本体に開閉可能に設けられ、更に手提げ式のハンドルが記録装置本体に回動自在に設けられている記録装置であって、前記ハンドルは、その手提げ部が閉状態の前記カバー体上に位置する回動位置では該カバー体の開状態への移行を規制するように形成されていると共に、該ハンドルはカバー体上に位置する持ち運び時の姿勢から記録装置本体の後方となるカバー体の基端側にだけ回動可能に構成されていることを特徴とするものである。
【０００７】
本発明の第１の態様によれば、ハンドルは、その手提げ部が閉状態の前記カバー体上に位置する回動位置では該カバー体の開状態への移行を規制するように形成されている、すなわち、ハンドルをその持ち運び時の立ち姿勢から後方に回動させてカバー体の上から退避させないと該カバー体を開けることができない構造に形成されている。従って、カバー体が閉じた状態では操作パネルにアクセスすることができない構造になっている。
【０００８】
ハンドルの位置に関係なくカバー体を開いて給紙動作や記録動作を開始できる従来構造の記録装置では、給送用トレイ上の被記録媒体にハンドルが回動して当たることが起こり得るが、本発明によれば上記構造によって給送用トレイ上の被記録媒体に記録開始後にハンドルが当たることは起こり得ない。更に、ハンドルを直立姿勢から前方側へは回動できない構成にしたからハンドルが記録実行時に前方に倒れて排出用スタッカに作用する事態が回避される。よって、従来構造における記録実行中のハンドルの回動操作に起因する被記録媒体へのダメージ付与の問題、更にその給送不良や排出不良と言った問題を確実に防止することができる。
【０００９】
更に、本発明によれば、ハンドルはカバー体が閉じられないと持ち運び時の直立姿勢位置に回動できないようになっている。従って、持ち運ぶ際は、必ずカバー体が閉じられ、操作パネルが覆われた状態になるので、操作パネル上に配設されている各種ボタンが不用意なアクセス等から保護される。
【００１０】
本発明の第２の態様に係る記録装置は、前記第１の態様において、前記ハンドルは、門型をした手提げ部と、該手提げ部の両端部に設けられ前記記録装置本体に形成された係合穴部と係合する係合軸部とを備えており、前記係合穴部と係合軸部の間には手提げ部の回動角度を規制するストッパ機構が設けられていることを特徴とするものである。
【００１１】
本発明の第２の態様によれば、手提げ部はストッパ機構の存在によって持ち運び時にとる直立姿勢と、使用時にとる後傾姿勢との間においてのみ回動できるようになり、ストッパ機構のストッパ作用位置を可変にすれば、手提げ部が回動し得る回動角度を適宜調整することが可能になる。
【００１２】
本発明の第３の態様に係るハンドルは、前記第２の態様において、前記係合穴部と係合軸部の間には少なくともハンドルの持ち運び時の直立姿勢と使用時の後傾姿勢とを簡易に固定できるロック機構が設けられていることを特徴とするものである。
【００１３】
本発明の第３の態様によれば、直立姿勢あるいは後傾姿勢にある手提げ部の不用意な移動が防止されるから、手提げ部の傾倒によって生ずる手や指の怪我や手提げ部あるいは該手提げ部と衝突する虞のある他の部品の破損等が防止される。また、ハンドルは直立姿勢と後傾姿勢において簡易に固定されているだけであるから手提げ部を握って少し力を加えるだけで手提げ部の回動位置を簡単に移動できる。
【００１４】
本発明の第４の態様に係る記録装置は、前記第１の態様から第３の態様のいずれかにおいて、当該記録装置はモバイルタイプのものであることを特徴とする。  
本態様に係る発明はこの種モバイルタイプの記録装置に適用することで、特に顕著な効果が得られる。
【００１５】
本発明の第５の態様に係る記録装置は、前記第１の態様から第４の態様のいずれかにおいて、前記カバー体は、閉状態では前記操作パネルを全て覆ってカバーとして機能すると共に露呈面が記録装置の外観を構成する外面形状に形成され、開状態ではペーパーサポートとして機能する内面形状に形成されていることを特徴とするものである。
【００１６】
本発明の第４の態様によれば、カバー体を開けばペーパーサポートになるので、ペーパーサポートを使用するための工程がユーザーにとって単純となり、部品点数も低減することができる。
【発明を実施するための最良の形態】
【００１７】
以下、本願発明に係る記録装置の一実施形態について説明する。最初に本願発明の記録装置を実施するための最良の形態としてインクジェットプリンタ１００を採り上げて、その全体構成の概略を図面に基づいて説明する。
【００１８】
図１は使用時（記録実行時）のインクジェットプリンタの外観を示す斜視図、図２は持ち運び時のインクジェットプリンタの外観を示す斜視図である。また図３は記録装置本体を取り外した状態のインクジェットプリンタ内部構造を示す斜視図、図４は同インクジェットプリンタの内部構造の概略を示す側断面図である。
【００１９】
尚、ここで説明するインクジェットプリンタ１００は、例えば４×６インチ以下のサイズの被記録媒体Ｐ（以下単に用紙Ｐともいう）を対象にした極めてコンパクトで持ち運びができる比較的シンプルな構造のモバイルタイプのインクジェットプリンタである。また、このインクジェットプリンタ１００は、パーソナルコンピュータに接続しなくても直接用紙Ｐに記録の実行ができるいわゆるダイレクトプリンタと呼ばれているタイプのインクジェットプリンタである。
【００２０】
このインクジェットプリンタ１００は、図１、図２に示すような角箱状の記録装置本体１０を備えている。該記録装置本体１０は、その前面、後面、左側面、右側面及び底面を閉塞する深底容器状のケーシング本体１３と、該ケーシング本体１３の上部開口を閉塞する操作パネル１５と、図２に示す持ち運び時の状態では記録装置本体１０の上面すなわち操作パネル１５を覆い、図１に示す使用状態では後述する給送用トレイ２０にセットされる長めの被記録媒体に対するペーパーサポートとして機能するカバー体１４と、上記ケーシング本体１３の前面の一部を開口し、当該前面開口を閉塞するように開閉自在に設けられる前面カバーを兼ねた排出用スタッカ１６と、前記ケーシング本体１３の左右の側面に対して回動可能な状態で接続される門型をした手提げ部１７を有するハンドル１とを備えている。
【００２１】
そして、上記操作パネル１５上には、中央に液晶モニタ１５Ａ、該液晶モニタ１５Ａの周囲と前面側の隅部に複数の各種操作ボタン１５Ｂ，１５Ｂ，…が設けられており、操作パネル１５の後部には後述する自動給送ユニット２に対して用紙Ｐをセットするための給送用開口１５Ｃが形成されている。また、排出用スタッカ１６は、下部の左右のコーナー部に回動支点を備えており、この回動支点を中心にして約９０°の範囲に亘って上下に回動できるようになっている。また、排出用スタッカ１６の裏面は、図１に示す使用状態では上面に位置するように構成されており、記録実行後の用紙Ｐを受け取る排出用スタッカ１６の載置面１６Ａとなっている。
【００２２】
また、ケーシング本体１３の前面開口の上部にはデジタルカメラ等で撮影した画像データを収録したメモリーカード等を挿入するためのメモリーカード用挿入口１３Ａが設けられている。そして、このインクジェットプリンタ１００は、図２に示す持ち運び時の状態では外部に操作ボタン１５Ｂ，１５Ｂ，…や、排出用スタッカ１６を拡開するための指掛け部等が一切露出しない極めてシンプルですっきりしたデザインの外観となっている。また、この状態ではインクジェットプリンタ１００を動作させることはできず、カバー体１４を拡開し、所定の操作ボタン１５Ｂを押すことによって初めてインクジェットプリンタ１００を動作させることができるように構成されている。
【００２３】
そして、インクジェットプリンタ１００の上記記録装置本体１０を図３に示すように取り外すと、種々の動作を実行する動作実行手段の一例である図示のようなユニット構造体１１が現れる。このユニット構造体１１は、用紙Ｐの搬送や記録の実行に欠かすことができない機能ごとに分けられた複数の機能ユニットを組み合わせることによって基本的に構成されている。これらの機能ユニットは、それぞれ独立した機能を有しており、各機能ユニット単独で組み立て、動作の確認及び機能検査等が実行できるようになっている。因みに図示のインクジェットプリンタ１００におけるユニット構造体１１は自動給送ユニット２、搬送案内ユニット３、キャリッジ駆動ユニット４、記録ヘッド・インク吸引ユニット５、チョークバルブユニット６、インク供給路ユニット７、インクチューブユニット８及びインクカートリッジ着脱ユニット９の８つの機能ユニットによって構成されている。
【００２４】
このようなユニット構造体１１の背面側の上部には、自動給送ユニット２が設けられている。自動給送ユニット２は自動的に用紙Ｐを連続して給送するという機能を有する機能ユニットである。また、この自動給送ユニット２は、用紙Ｐの左右の側縁Ｅ（エッジとも言う）に対して共動する２つの可動エッジガイド２４、２５を当接させて給送用トレイ２０上に積畳状態で載置された用紙Ｐを中央に位置合わせする中央位置合わせタイプの自動給送ユニットである。
【００２５】
自動給送ユニット２は、用紙Ｐを複数枚積畳し得る給送用トレイ２０と、給送用トレイ２０上の用紙Ｐを給送用ローラ２３に向けて押し上げるホッパ２６と、ホッパ２６との挟圧送り作用によって給送用トレイ２０上の上位の用紙Ｐをピックアップする給送用ローラ２３と、最上位の用紙Ｐのみが給送されるように重送された後続の用紙Ｐを最上位の用紙Ｐから分離する分離作用部の一例である斜面度当て式の分離用斜面２１等とを備えている。
【００２６】
次に、用紙Ｐの搬送経路に従ってインクジェットプリンタ１００の内部構造の概略を説明する。給送用トレイ２０上に載置され可動エッジガイド２４、２５によって左右の側縁Ｅが規制された用紙Ｐは、給送用ローラ２３の回転軸２７の回転に伴って、ホッパ２６が所定のタイミングで上昇し、給送用ローラ２３に向けて押し上げられる。そして、給送用ローラ２３の回転に伴って最上位に位置する用紙Ｐから順番に給送用ローラ２３近傍に設けられている分離作用部の一例である分離用斜面２１や図示しない戻しレバー等の力を借りて単位数ずつピックアップされ、ピックアップされた用紙Ｐは可動エッジガイド２４、２５によって左右の両側縁Ｅが案内されて用紙搬送方向下流に向けて搬送される。
【００２７】
給送用ローラ２３の下流には、用紙Ｐの搬送経路の一部を形作っている経路案内部材２２が設けられており、この経路案内部材２２によって案内された用紙Ｐは、用紙搬送方向下流に位置する搬送案内ユニット３に導かれる。搬送案内ユニット３は、上記自動給送ユニット２によって給送された用紙Ｐを搬送して記録ポジション１２に向けて案内し、更に記録実行後の用紙Ｐを記録装置本体１０に対して設けられている排出用スタッカ１６の載置面１６Ａ上に排出するという機能を有する機能ユニットである。
【００２８】
搬送案内ユニット３には一体に成形された単一の案内ベース３０が設けられており、該案内ベース３０における用紙搬送方向の最も上流側には搬送案内ローラ３４が自由回転可能な状態で設けられている。この搬送案内ローラ３４は、用紙Ｐが上記給送用ローラ２３と後述する搬送用ローラ３１の双方によって挟持されることによって生ずる引張力の増加に伴う搬送抵抗を効果的に低減させて円滑な用紙Ｐの搬送を実行するために設けられている部材である。そして、搬送案内ローラ３４の下流には搬送用駆動ローラ３２と搬送用従動ローラ３３とによって構成される上記搬送用ローラ３１が設けられている。
【００２９】
そして、搬送用ローラ３１によって挟圧された状態で搬送される用紙Ｐは下流の液体噴射ポジションの一例である記録ポジション１２に向けて案内される。
【００３０】
記録ポジション１２には、用紙Ｐに記録を実行する記録実行手段の主たる構成要素として、記録ヘッド５１が設けられている。記録ヘッド５１は図示しないノズル開口に詰まったインクを取り除くインク吸引装置５３と一体になって記録ヘッド・インク吸引ユニット５を構成している。記録ヘッド・インク吸引ユニット５は、記録ヘッド装置５０とインク吸引装置５３とによって構成されており、このうち記録ヘッド装置５０は上記記録ヘッド５１と、該記録ヘッド５１を下面に装着した状態で保持するヘッドベース５２とを備えることによって構成されている。
【００３１】
ヘッドベース５２は、次に述べるキャリッジ駆動ユニット４におけるキャリッジ４０の前面に水平な姿勢で取り付けられている部材である。また、ヘッドベース５２の上方空間は後述するインクチューブユニット８におけるインクチューブ８０やＦＦＣ（フレキシブルフラットケーブル）８１の撓み変形許容空間として利用されている。また、ヘッドベース５２の上方空間の側方寄りの一部とヘッドベース５２の内部空間にはインクチューブ８０から流入した各色のインクを記録ヘッド５１の図示しない所定のノズル開口に導く、図示しないインクの供給経路が設けられている。
【００３２】
一方、インク吸引装置５３は、上記記録ヘッド装置５０がホームポジションに位置する時の下方空間に設けられている装置で、フラッシング時やヘッドクリーニング時においてノズル開口に詰まったインクを吸引除去する役割を有している。そして、インク吸引装置５３は、上記搬送用駆動ローラ３２や排出用駆動ローラ３６から動力を得る図示しないギヤ列と、ギヤ列の出力ギヤに接続されて動作する図示しない吸引ポンプと、吸引時において記録ヘッド５１の下面に当接してノズル開口を閉塞する図示しないキャップ部と、吸引ポンプとキャップ部を接続する図示しないポンプチューブとを備えることによって基本的に構成されている。
【００３３】
キャリッジ駆動ユニット４は、キャリッジ４０を主走査方向Ｘ（用紙Ｐの幅方向と一致する）に往復可能に走行させる機能ユニットであり、走行主体であるキャリッジ４０と、キャリッジ４０の往復駆動手段である図示しないモータと、モータの回転運動をキャリッジ４０の直線的な往復運動に変換する２つの図示しないプーリと、２つのプーリ間に巻回される図示しない無端ベルトと、キャリッジ４０の往復運動を案内する図示しないキャリッジガイド軸とを備えることによって基本的に構成されている。
【００３４】
また、上記記録ヘッド・インク吸引ユニット５には、ユニット構造体１１の下部に設けられるインクカートリッジ着脱ユニット９に装着された図示しないインクカートリッジから供給されたインクが途中チョークバルブユニット６及びインク供給路ユニット７を通り、更にインクチューブユニット８におけるインクチューブ８０を経て供給されるようになっている。インクカートリッジ着脱ユニット９は、比較的大容量の一体型のインクカートリッジを比較的小さな力で装着し取り外すことができる機能ユニットである。具体的にはインクカートリッジ着脱ユニット９はてこの原理を利用しており、ユニット構造体１１の背面側に設けられた図示しない操作レバーを操作することによってインクカートリッジをユニット構造体１１の背面側から出し入れできるように構成されている。
【００３５】
チョークバルブユニット６は、インクカートリッジから供給されたインクの図示しないインク供給路への流入と流入の遮断を弁の開閉によって切り替える機能ユニットである。チョークバルブユニット６は、上記排出用駆動ローラ３６の回転軸の一端に取り付けられる伝達ギヤ６０と噛み合って動力を得るギヤ列６１と、ギヤ列６１からの動力と図示しない磁石の磁力及び付勢バネの付勢力とによって開閉制御される図示しないチョークバルブとを備えることによって基本的に構成されている。
【００３６】
インク供給路ユニット７は、インク供給路に流入した各色のインクを当該インクの色に対応したそれぞれのインクチューブ８０に導く機能ユニットである。インク供給路ユニット７はインクカートリッジの図示しないインク吐出孔に刺さる図示しないインク供給針と、該インク供給針と上記チョークバルブ間及び上記チョークバルブとインクチューブ８０間を接続する各色のインクごとに区分された図示しないインク供給路とを備えることによって基本的に構成されている。
【００３７】
上記記録ヘッド５１の下方には、記録ヘッド５１と対向して記録ヘッド５１下面の図示しないノズル開口との間のギャップＰＧを規定するプラテン３８が設けられている。プラテン３８は、搬送案内ユニット３における案内ベース３０の上面に形成された案内リブ状の部材であり、用紙幅方向に亘って複数設けられている。そして、記録ヘッド５１とプラテン３８との間に用紙Ｐを主走査方向Ｘと直交する副走査方向Ｙ（用紙Ｐの搬送方向と一致する）に所定の搬送量で搬送する動作と、記録ヘッド５１を主走査方向Ｘに一往復させる間に記録ヘッド５１下面の図示しないノズル開口から用紙Ｐに向けてインクを吐出する動作とを相互に繰り返すことによって用紙Ｐの被記録面の全面に亘って所望の記録が実行される。尚、上記ギャップＰＧは、高精度の記録を実行する上で極めて重要な要素になっており、用紙Ｐの厚さの変化等に応じて適宜調節されるようになっている。
【００３８】
記録ヘッド５１の下流には排出用駆動ローラ３６と、排出用従動ローラ３７とによって構成される排出用ローラ３５が設けられている。尚、該排出用ローラ３５は搬送案内ユニット３の構成部材の１つになっている。そして、排出用ローラ３５によって排出された用紙Ｐは更に搬送方向下流に位置する上記排出用スタッカ１６の載置面１６Ａ上に排出されるようになっている。
【００３９】
排出用従動ローラ３７は、その外周に複数の歯を有する歯付きローラであり、図示しない支持フレーム等によって自由回転可能な状態で軸支されている。また上記搬送用従動ローラ３３は、搬送用駆動ローラ３２よりその軸芯位置が幾分搬送方向下流側に位置するように配設されており、一方、上記排出用従動ローラ３７は排出用駆動ローラ３６より軸芯位置が幾分搬送方向上流側に位置するように配設されている。このような配設態様をとることによって用紙Ｐは搬送用ローラ３１と排出用ローラ３５との間において僅かに下に凸となる「逆ぞり」と呼ばれる湾曲状態が形成されている。そして、用紙Ｐがこのような形状をとることによって記録ヘッド５１に対して対向する位置にある用紙Ｐはプラテン３８上に押し付けられ、用紙Ｐの浮き上がりが防止されて正常に記録が実行されるようになっている。
【００４０】
［実施例］
次に、このようなインクジェットプリンタ１００に対して設けられる本発明のハンドル１と該ハンドル１と密接に関係するカバー体１４を図面に基づいて具体的に説明する。
【００４１】
図５は本発明のハンドルを適用したインクジェットプリンタを示すハンドルが直立姿勢にある時の側面図（ａ）と、ハンドルが後傾姿勢にある時の側面図（ｂ）である。図６はハンドルが直立姿勢にある時の記録装置本体内側からの側断面図（ａ）と、ハンドルが後傾姿勢にある時の記録装置本体内側からの側断面図（ｂ）である。図７は回動中のハンドルを示す正面からの断面図（ａ）と、ロック時のハンドルを示す正面からの断面図（ｂ）である。図８はカバー体を閉塞した状態のインクジェットプリンタを示す平面図、図９はカバー体を拡開した状態のインクジェットプリンタを示す平面図である。図１０はカバー体を記録装置本体に取り付ける前の状態を示す斜視図（ａ）と、取り付けた後の状態を示す側断面図（ｂ）である。また図１１はカバー体を拡開した状態のインクジェットプリンタを示す背面図である。
【００４２】
本発明の一実施例に係るハンドル１は、その一部がカバー体１４上に位置している状態ではカバー体１４を開閉できない大きさに形成されている。即ち図５（ａ）及び図６（ａ）に示すように、ハンドル１が直立姿勢にある時のようにハンドル１がカバー体１４上に位置している時には、カバー体１４の一部が図示のようにハンドル１における手提げ部１７の内側の部位に当接するためカバー体１４を拡開できないようになっている。一方、ハンドル１が図５（ｂ）及び図６（ｂ）に示す後傾姿勢にある時のように、ハンドル１がカバー体１４上に位置していない状態では何らカバー体１４の回動を妨げる部材が存在していないから、カバー体１４をいっぱいまで後方に拡開できるようになっている。
【００４３】
また、このハンドル１は、図６（ａ）に示す持ち運び時の直立姿勢から排出用スタッカ１６が備えられた記録装置本体１０の前方側へは回動できないように構成されている。従って、手前に拡開された排出用スタッカ１６上に手提げ部１７が作用することはなく、常時円滑な用紙Ｐの排出が実行されるようになっている。また上述したハンドル１の大きさとも関係し、カバー体１４を上方に拡開し、ペーパーサポートとして機能する使用状態において、カバー体１４上（この場合はカバー体１４の裏面となる）にセットされた用紙Ｐに手提げ部１７が作用することはなく、この場合も常時円滑な用紙Ｐの給送が実行されるようになっている。
【００４４】
ハンドル１は、直立姿勢において正面視門型をした上述の手提げ部１７と、該手提げ部１７の両端部に設けられる係合軸部１０１とを備えることによって構成されている。このうち手提げ部１７は一例として矩形断面をした内部が中空の帯状の部材を門型に折り曲げたような形状をしており、使用者が持ち運び時に手で握る一例として水平に設けられているグリップ部１０２と、該グリップ部１０２の両端を延長形成し、約９０°折り曲げて記録装置本体１０の左右の側面に接続されるアーム部１０３とを備えている。そして該アーム部１０３の端部寄りの内面に内側に突出するようにして上記係合軸部１０１が設けられている。
【００４５】
係合軸部１０１は、記録装置本体１０に形成された係合穴部１０４と係合する部材で、短寸丸棒状の軸部先端側の周面において外方に張り出すように扇形状をした２枚のガイドフランジ１０５を設けることによって構成されている。また、このうち１枚のガイドフランジ１０５の一部は、更に外方に張り出すように延長形成されており、当該延長形成された部分がストッパ機構の一部である係合軸部１０１の軸方向に撓み変形可能な当接突片１０６となっている。また、この当接突片１０６の内面（記録装置本体１０の側板の内壁面と対向する面）側には、半球状をした後述するロック機構の一部である係合凸部１０７が設けられている。
【００４６】
係合穴部１０４は、上記係合軸部１０１の軸部の外径よりも幾分大きめの内径を有する穴部であり、該穴部の一部にはガイドフランジ１０５と当接突片１０６を受け入れることができるような形状の切欠き部１０８が形成されている。また、このような係合穴部１０４の同心円の外方には、記録装置本体１０の左右の側板の内方に突出するように円弧状の２つのガイドリブ１０９が設けられている。該ガイドリブ１０９の内周面は、上記ガイドフランジ１０５の外周面に摺接して係合軸部１０１の回動を案内するガイド面になっている。また、２つのガイドリブ１０９の円周方向において対向する一方の端面は、上記当接突片１０６に当接することによって係合軸部１０１の回動を規制するストッパ機構の一部である回動規制面１１０になっている。また、対向する２つの回動規制面１１０の間には一例として３つの係合凹部１１１が設けられている。
【００４７】
この係合凹部１１１は、上記当接突片１０６に形成されている係合凸部１０７と係合する部材であり、該係合凸部１０７と共にロック機構を構成する構成部材となっている。係合凹部１１１は、係合穴部１０４の同心円外方の上記係合凸部１０７と係合する位置における円周上に一例として３つ設けられている。このうち両端の係合凹部１１１の一方が図５（ａ）ないし図６（ａ）に示す手提げ部１７の直立姿勢をロックする直立固定凹部１１２、他方が図５（ｂ）ないし図６（ｂ）に示す手提げ部１７の後傾姿勢をロックする後傾固定凹部１１３となっている。また、これらの中間に位置する係合凹部１１１が手提げ部１７を直立姿勢と後傾姿勢の中間の位置でロックする中間固定凹部１１４になっている。
【００４８】
次に、このようにして構成される本発明のハンドル１の作動態様を（１）持ち運び時と、（２）使用時に分けて説明する。
【００４９】
（１）持ち運び時（図２、図５（ａ）、図６（ａ）、図７（ａ）（ｂ）参照）
本発明のハンドル１を備えたインクジェットプリンタ１００を持ち運ぶ場合には、図２、図５（ａ）及び図６（ａ）に示すように手提げ部１７を直立姿勢にする。例えば後述する使用時の状態から持ち運びの状態にする場合には操作ボタン１５Ｂを押して電源を切った後、排出用スタッカ１６及びカバー体１４を閉塞状態にし、図示しない電源コードを使用している場合には電源ジャックから電源プラグを抜く。次に、後傾姿勢の手提げ部１７のグリップ部１０２を手で握ってハンドル１を手前上方に向けて回動させる。
【００５０】
ここで、ハンドル１は、カバー体１４が閉じられないと直立姿勢の位置に回動できないようになっている。従って、持ち運ぶ際は、必ずカバー体１４が閉じられ、操作パネルが覆われた状態になり、操作パネル上に配設されている各種ボタンが不用意なアクセス等から保護される。
【００５１】
この際、手提げ部１７の回動中は、図７（ａ）に示すように当接突片１０６が記録装置本体１０における左右の側板の内方に撓み変形して係合凸部１０７が係合凹部１１１から外れるため両者のロック状態は解除されている。途中、係合凸部１０７は一旦中間固定凹部１１４と係合し図７（ｂ）に示すロック状態となるが、再び図７（ａ）に示すロック解除状態になって、図６（ａ）に示すように当接突片１０６が手提げ部１７の直立姿勢を規制する回動規制面１１０に当接したところで係合凸部１０７が直立固定凹部１１２に係合し、手提げ部１７の直立姿勢が固定される。
【００５２】
（２）使用時（図１、図５（ｂ）、図６（ｂ）、図７（ａ）（ｂ）参照）
上記持ち運び時の状態のインクジェットプリンタ１００を使用する場合には、そのままでは図５（ａ）に示すようにカバー体１４を拡開することはできないから手提げ部１７のグリップ部１０２を手で握って後方下部に向かって回動させる。この際、手提げ部１７の回動中は、図７（ａ）に示すように当接突片１０６が記録装置本体１０における左右の側板の内方に撓み変形して係合凸部１０７が係合凹部１１１から外れるため、両者のロック状態は解除されている。途中、係合凸部１０７は、一旦中間固定凹部１１４と係合し、図７（ｂ）に示すロック状態となるが、再び図７（ａ）に示すロック解除状態になって、図６（ｂ）に示すように当接突片１０６が手提げ部１７の後傾姿勢を規制する回動規制面１１０に当接したところで係合凸部１０７が直立固定凹部１１２に係合し、手提げ部１７の後傾姿勢が固定される。
【００５３】
そして、図示しない電源コードを使用する場合には、電源ジャックに電源プラグを挿し込み、カバー体１４を拡開して所定の操作ボタン１５Ｂを押して排出用スタッカ１６を拡開状態とする。次に給送用トレイ２０上に所定枚数の用紙Ｐをセットし、電源を入れて記録を実行する。
【００５４】
次に、前記ハンドル１と密接に関係するカバー体１４の構成と使用態様について説明する。カバー体１４はインクジェットプリンタ１００を使用しない場合には図２や図８に示すように記録装置本体１０の上部開口を閉塞して操作ボタン１５Ｂ，１５Ｂ，…、液晶モニタ１５Ａ及び給送用開口１５Ｃが設けられた操作パネル１５を覆い隠すカバー部材として機能する。一方、インクジェットプリンタ１００を使用する場合には、カバー体１４は上方に向けて拡開され、図１や図９に示すように給送用トレイ２０上にセットされた用紙Ｐの上部を支承するペーパーサポートとして機能する。
【００５５】
カバー体１４はコーナー部が丸く切り落とされた矩形平板状の部材で、記録装置本体１０の上部に取り付けられた操作パネル１５の後部側コーナー部に接続される回動基端部には、カバー体１４の全体の幅寸法よりも幅狭で奥行き寸法の短い矩形平板状のストッパ１４１が形成されている。また、ストッパ１４１の左右の端部には短寸丸棒状の回動軸１４２が設けられている。また、カバー体１４の前端縁の中央は矩形状に切り欠かれており、カバー体１４を拡開する場合に指を掛ける指掛部１４３となっている。また、カバー体１４の前端部裏面側の左右の隅部には、カバー体１４を閉塞状態とした時、操作パネル１５の上面に設置する弾性部材によって形成される脚部１４４が設けられている。
【００５６】
また、上記回動軸１４２は、操作パネル１５の後部コーナー部に取り付けられている回動軸受け１４６によって回動自在に保持されている。回動軸受け１４６は対向するように設けられる２つの弾性爪１４７と、該弾性爪１４７と一体の基台部１４８とによって構成されている。従って、上記回動軸１４２を回動軸受け１４６に取り付けたり、取り外す場合には、回動軸１４２を軸と直交する方向に弾性爪１４７間の間隙部に向けて押し込んだり引き抜いたりすることによって２つの弾性爪１４７を弾性変形させ、ワンタッチでカバー体１４の着脱を行うことができるようになっている。また基台部１４８は側面視「へ」の字状に屈曲した形状を有しており、屈曲したそれぞれの部分に上記弾性爪１４７が内方に突出するように設けられている。該弾性爪１４７より外方の端片部が上記カバー体１４の回動軸１４２近傍のストッパ１４１の上面ないし下面に当接し、カバー体１４の回動角度を規制する角度規制面１４９になっている。そして、このようなカバー体１４の一例として中央部には閉塞状態のまま操作パネル１５上の液晶モニタ１５Ａを視認することのできる視認窓１４Ａが開口されている。視認窓１４Ａは、コーナー四隅が丸く加工された矩形状の開口であり、該開口には視認性を有する合成樹脂材料等によって形成される遮蔽板１４５が嵌められている。
【００５７】
また、視認窓１４Ａは液晶モニタ１５Ａに表示される表示情報１５０を外部から確認できる大きさに形成されており、具体的には液晶モニタ１５Ａより幾分小さめに形成されている。また、視認できる表示情報１５０としては、電源のＯＮ、ＯＦＦの確認等、インクジェットプリンタ１００の現在の状態情報１５１、インク残量等のメンテナンス情報１５２や、用紙サイズや用紙の種類等の設定情報１５３あるいはデザインや装飾を目的とした静止画や動画等を表示させるデザイン情報１５４等が例示できる。また、表示情報１５０の種類としては文字や記号あるいは図形、イラスト、写真等の画像が含まれる。
【００５８】
次に、このようなカバー体１４の使用の態様を（１）視認窓を表示情報確認窓として使用する場合と、用紙Ｐのセットの有無の確認をインクジェットプリンタ１００の後面側から行う（２）視認窓を後方確認窓として使用する場合に分けて説明する。
【００５９】
（１）視認窓を表示情報確認窓として使用する場合（図８参照）
視認窓１４Ａを表示情報確認窓として使用する場合は、図８に示すようにカバー体１４を閉塞状態にする。この状態では上述のように視認窓１４Ａから液晶モニタ１５Ａが視認できるため、液晶モニタ１５Ａに表示された種々の表示情報１５０を確認できる。そして表示された表示情報１５０に基づいてインクジェットプリンタ１００の電源を切ったり、新しい予備のインクカートリッジを準備したりする。
【００６０】
（２）視認窓を後方確認窓として使用する場合（図１１参照）
使用者がインクジェットプリンタ１００の後部側に位置している時に給送用トレイ２０上にセットされた用紙Ｐの有無を確認する場合にはわざわざインクジェットプリンタ１００の前面側に移動しなくても、視認窓１４Ａを後部側から覗き込むことによって用紙Ｐの有無が確認できる。即ち、視認窓１４Ａはセットされる用紙Ｐが確認できる大きさ及び位置に設定されているため、視認窓１４Ａを覗き込むことによってセットされた用紙Ｐの一部が視認できるようになっている。そして用紙Ｐが存在しない場合にはインクジェットプリンタ１００の後部側から用紙Ｐを補充することも可能である。
【００６１】
［他の実施例］
本願発明に係るハンドル１を備えた記録装置１００は、以上述べたような構成を基本とするものであるが、本願発明の要旨を逸脱しない範囲内の部分的構成の変更や省略等を行なうことも勿論可能である。例えば、手提げ部１７の形状は角張った門型形状の他、アーチ形状、Ｕ字形状等、湾曲した形状であってもよい。また、手提げ部１７のグリップ部１０２の形状を手に馴染んだ握り易い形状にしたり、柔軟な弾性チューブ等を装着する構成とすることも可能である。また、係合凸部１０７と係合凹部１１１の位置関係を逆にしてハンドル１側に係合凹部１１１を設け、記録装置本体１０側に係合凸部１０７を設ける構成にすることも可能である。また、係合凸部１０７と係合凹部１１１の個数は前記実施例のものに限らず、適宜変更することが可能である。
【００６２】
また、カバー体１４に対して設けた視認窓１４Ａの形状は、前記実施例のように液晶モニタ１５Ａの形状に合わせて矩形穴状に形成する他、円形、楕円形、長円形、他の多角形状の穴等、種々の形状の穴が採用可能である。また視認窓１４Ａの個数は、１個に限らず複数個設けることも可能であり、その場合において表示情報確認窓として使用する視認窓１４Ａと後方確認窓として使用する視認窓１４Ａとを使い分けるようにすることも可能である。また視認窓１４Ａを通して外部から確認できる表示情報１５０に加えて、該表示情報１５０に関係する音声情報やメロディ等を流したりすることも可能である。
【図面の簡単な説明】
【００６３】
【図１】使用時のインクジェットプリンタの外観を示す斜視図。
【図２】持ち運び時のインクジェットプリンタの外観を示す斜視図。
【図３】ユニット構造体の外観を示す斜視図。
【図４】インクジェットプリンタの内部構造の概略を示す側断面図。
【図５】ハンドルが直立姿勢にある時のインクジェットプリンタを示す側面図（ａ）と、ハンドルが後傾姿勢にある時のインクジェットプリンタを示す側面図（ｂ）。
【図６】直立姿勢のハンドルを示す側断面図（ａ）と、後傾姿勢のハンドルを示す側断面図（ｂ）。
【図７】回動中のハンドルを示す正面からの断面図（ａ）と、ロック時のハンドルを示す正面からの断面図（ｂ）。
【図８】カバー体を閉塞した状態のインクジェットプリンタを示す平面図。
【図９】カバー体を拡開した状態のインクジェットプリンタを示す平面図。
【図１０】カバー体の取付前の状態を示す斜視図（ａ）と、取付後の状態を示す側断面図（ｂ）。
【図１１】カバー体を拡開した状態のインクジェットプリンタを示す背面図。
【符号の説明】
【００６４】
１  ハンドル、２  自動給送ユニット、３  搬送案内ユニット、４  キャリッジ駆動ユニット、５  記録ヘッド・インク吸引ユニット、６  チョークバルブユニット、７  インク供給路ユニット、８  インクチューブユニット、９  インクカートリッジ着脱ユニット、１０  記録装置本体、１１  ユニット構造体（記録実行手段）、１２  記録ポジション、１３  ケーシング本体、１３Ａ  メモリー挿入口、１４  カバー体、１４Ａ  視認窓、１５  操作パネル、１５Ａ  液晶モニタ、１５Ｂ  操作ボタン、１５Ｃ  給送用開口、１６  排出用スタッカ、１６Ａ  載置面、１７  手提げ部、２０  給送用トレイ、２１  分離用斜面、２２  経路案内部材、２３  給送用ローラ、２４  可動エッジガイド、２５  可動エッジガイド、２６  ホッパ、２７  回転軸（給送用ローラの）、３０  案内ベース、３１  搬送用ローラ、３２  搬送用駆動ローラ、３３  搬送用従動ローラ、３４  搬送案内ローラ、３５  排出用ローラ、３６  排出用駆動ローラ、３７  排出用従動ローラ、３８  プラテン、４０  キャリッジ、５０  記録ヘッド装置、５１  記録ヘッド、５２  ヘッドベース、５３  インク吸引装置、６０  伝達ギヤ、６１  ギヤ列、８０  インクチューブ、８１  ＦＦＣ（フレキシブルフラットケーブル）、１００  インクジェットプリンタ（記録装置）、１０１  係合軸部、１０２  グリップ部、１０３  アーム部、１０４  係合穴部、１０５  ガイドフランジ、１０６  当接突片（ストッパ機構）、１０７  係合凸部（ロック機構）、１０８  切欠き部、１０９  ガイドリブ、１１０  回動規制面（ストッパ機構）、１１１  係合凹部（ロック機構）、１１２  直立固定凹部、１１３  後傾固定凹部、１１４  中間固定凹部、１４１  延長フラップ、１４２  回動軸、１４３  指掛部、１４４  脚部、１４５  遮蔽板、１４６  回動軸受け、１４７  弾性爪、１４８  基台部、１４９  角度規制面、１５０  表示情報、１５１  状態情報、１５２  メンテナンス情報、１５３  設定情報、１５４  デザイン情報、Ｐ  用紙（被記録媒体）、Ｘ  主走査方向、Ｙ  副走査方向、ＰＧ  ギャップ、Ｅ  側縁（エッジ）
【図１】
2007210214.tif 000003
【図２】
2007210214.tif 000004
【図３】
2007210214.tif 000005
【図４】
2007210214.tif 000006
【図５】
2007210214.tif 000007
【図６】
2007210214.tif 000008
【図７】
2007210214.tif 000009
【図８】
2007210214.tif 000010
【図９】
2007210214.tif 000011
【図１０】
2007210214.tif 000012
【図１１】
2007210214.tif 000013